(57)【要約】【課題】コスト増加を抑えた簡易な構造によって台形補正を行うことができ、投射の中断解除後における台形補正の調整作業を簡易化できるプロジェクター等を提供すること。【解決手段】制御部１１が第２検出部であるキー入力処理部１３によって第１の特定キーの操作が検出された後に、第１検出部であるキー入力処理部１３又はシャッター検出部１８によって休止動作の解除が検出された場合に、台形補正の状態を判定可能なテストパターンの表示を映像投射部に行わせるので、休止動作を解除することによって入力信号に対応する画像が直ちに投射されることを回避でき、予め上記テストパターンによって台形補正を適正化等して準備が完了してから、入力信号に対応する画像を投射することができる。【選択図】図２
2011160315.tif 000002
【特許請求の範囲】
【請求項１】
画像を投射する映像投射部と、
前記映像投射部の休止動作の解除を検出する第１検出部と、
操作キーのうち所定キーの操作を検出する第２検出部と、
前記第２検出部によって前記所定キーの操作が検出された後に、前記第１検出部によって前記休止動作の解除が検出された場合に、台形補正の状態を判定可能にする所定パターンの表示を前記映像投射部に行わせる制御部と、
を備えるプロジェクター。
【請求項２】
前記映像投射部に設けた投射レンズから投射される光を遮断する閉位置と、前記投射レンズから投射される光を遮断しない開位置とを選択可能なシャッターを更に備え、
前記第１検出部は、前記シャッターが前記閉位置から前記開位置に変化することを前記休止動作の解除として検出することを特徴とする請求項１に記載のプロジェクター。
【請求項３】
前記第１検出部は、前記操作キーのうちミュートキーが操作されることを前記休止動作の解除として検出することを特徴とする請求項１に記載のプロジェクター。
【請求項４】
前記所定パターンは、幾何的図形を含むテストパターンであることを特徴とする請求項１から請求項３までのいずれか一項に記載のプロジェクター。
【請求項５】
前記制御部は、前記映像投射部に前記所定パターンの表示を行わせている際に前記操作キーに含まれるいずれか１つ以上が操作された場合に、前記映像投射部に入力信号に基づく画像投射を行わせることを特徴とする請求項１から請求項４までのいずれか一項に記載のプロジェクター。
【請求項６】
前記第２検出部によって前記所定キーの操作を検出した後における放置時間を計測するタイマーを更に備え、
前記タイマーの計測が所定時間に達した場合、前記映像投射部に入力信号に基づく画像投射を行わせることを特徴とする請求項５に記載のプロジェクター。
【請求項７】
前記映像投射部に投射させる画像に台形補正を施す台形補正部をさらに備え、
前記制御部は、前記映像投射部に前記所定パターンの表示を行わせている際に、前記操作キーに含まれるいずれか１つ以上の操作を読取って、前記台形補正部による台形補正量を調整可能にすることを特徴とする請求項１から請求項６までのいずれか一項に記載のプロジェクター。
【請求項８】
前記第２検出部は、前記所定キーとして設定変更のためのメニュー画面を表示させるメニューキーの操作を検出することを特徴とする請求項７に記載のプロジェクター。
【請求項９】
画像を投射する映像投射部を備えるプロジェクターによる画像投射方法であって、
前記映像投射部の動作を休止させる休止制御がかかった状態で操作キーのうち所定キーの操作が検出された場合において、休止動作の解除が検出されたときに、台形補正の状態を判定可能にする所定パターンの表示を前記映像投射部に行わせることを特徴とする画像投射方法。
【発明の詳細な説明】
【技術分野】
【０００１】
本発明は、画像の投射を中断する休止動作が可能なプロジェクター、及びかかるプロジェクターによる画像投射方法に関する。
【背景技術】
【０００２】
プロジェクターとして、斜め投射による画像の歪みを低減するため、画像形成パネルの画像表示領域の一部に画像を形成することにより表示画像の台形歪みを補正するもの知られており、特に手動調整型のものでは、台形補正キーを利用して台形歪の補正量すなわち台形補正量を増減調節可能としている。上記のような手動調整型のプロジェクターの機能を向上させるものとして、プロジェクターの設置角度を検出しその設置角度に応じて自動的に台形補正を施すものもある（特許文献１参照）。
【０００３】
また、別のプロジェクターとして、スライド式のレンズシャッターを有し、レンズシャッターを閉じた際に、レンズシャッターの発熱を抑えるため、液晶パネルの駆動状態を制御して黒画像を投射させるものが存在する（特許文献２参照）。このようなプロジェクターでは、レンズシャッターを一時的に閉じることで表示の一時的な中断が可能になるので、例えばプレゼンテーションの切り替えに際して画面を一時的に隠すことができる。
【先行技術文献】
【特許文献】
【０００４】
【特許文献１】特開２００３−２８３９６３号公報
【特許文献２】特開２００７−２４０５５１号公報
【発明の概要】
【発明が解決しようとする課題】
【０００５】
しかし、上記特許文献１のようなプロジェクターでは、角度センサーといった設置角度検出装置が必要になり、装置が複雑化しコストが増加する。
【０００６】
また、上記特許文献２のようなプロジェクターが仮に台形補正キーを利用する手動調整型のプロジェクターであるものとすると、レンズシャッターを閉じてプロジェクターの設置角度を変更する場合、台形補正を適正に設定することが容易でなくなる。つまり、レンズシャッターを閉じると、スクリーンに画像が投射されないため台形補正を適正化することができない。なお、この種のプロジェクターで、台形補正を適正化するためレンズシャッターを開けると、黒表示が解除され、意図しない画像、例えばプレゼンテーションの準備が完了していない画面を投射してしまうことになる。
【０００７】
そこで、本発明は、コスト増加を抑えた簡易な構造によって台形補正を行うことができ、投射の中断解除後における台形補正の調整作業を簡易化できるプロジェクター及びこれによる画像投射方法を提供することを目的とする。
【課題を解決するための手段】
【０００８】
上記課題を解決するため、本発明に係るプロジェクターは、画像を投射する映像投射部と、映像投射部の休止動作の解除を検出する第１検出部と、操作キーのうち所定キーの操作を検出する第２検出部と、第２検出部によって所定キーの操作が検出された後に、第１検出部によって休止動作の解除が検出された場合に、台形補正の状態を判定可能にする所定パターンの表示を映像投射部に行わせる制御部と、を備える。
【０００９】
上記プロジェクターによれば、制御部が、第２検出部によって所定キー（第１の特定キー）の操作が検出された後に、第１検出部によって休止動作の解除が検出された場合に、台形補正の状態を判定可能にする所定パターンの表示を映像投射部に行わせるので、休止動作を解除することによって入力信号に対応する画像が直ちに投射されることを回避でき、予め上記所定パターンによって台形補正を適正化等して本番の投射の準備が完了してから入力信号に対応する画像を投射することができる。
【００１０】
本発明の具体的な側面では、上記プロジェクターにおいて、映像投射部に設けた投射レンズから投射される光を遮断する閉位置と、投射レンズから投射される光を遮断しない開位置とを選択可能なシャッターを更に備え、第１検出部は、シャッターが閉位置から開位置に変化することを休止動作の解除として検出する。この場合、シャッターを閉位置にすることで、映像投射部の動作を休止状態とする休止動作を行うことができ、シャッターを開位置にすることで、休止動作が解除される。さらに、シャッターを開位置にする前に所定キーが操作されている場合には、シャッターを開位置にすることで、映像投射部に台形補正の状態を判定可能にする所定パターンを表示させることができる。
【００１１】
本発明の別の側面では、第１検出部は、操作キーのうちミュートキーが操作されることを休止動作の解除として検出する。この場合、ミュートキーを最初に操作することで、映像投射部の動作を休止状態とする休止動作を行うことができ、ミュートキーを再度操作することで、休止動作が解除される。さらに、ミュートキーを再度操作する前に所定キーが操作されている場合には、ミュートキーを再度操作することで、映像投射部に台形補正の状態を判定可能にする所定パターンを表示させることができる。
【００１２】
本発明のさらに別の側面では、所定パターンは、幾何的図形を含むテストパターンである。この場合、台形補正量が適正であるか否かを簡易かつ迅速に判断することができ、手動による台形補正の作業を簡単にすることができる。
【００１３】
本発明のさらに別の側面では、制御部は、映像投射部に所定パターンの表示を行わせている際に操作キーのうちいずれか１つが操作された場合に、映像投射部に入力信号に基づく画像投射を行わせる。この場合、操作キーに含まれるいずれか１つキー（第２の特定キー）の操作によって、台形補正の状態判定用の所定パターンを通常の入力信号に対応する画像に切り換えて投射することができる。
【００１４】
本発明のさらに別の側面では、第２検出部によって所定キーの操作を検出した後における放置時間を計測するタイマーを更に備え、タイマーの計測が所定時間に達した場合、映像投射部に入力信号に基づく画像投射を行わせる。この場合、第２検出部による所定キー操作の検出が所定時間でキャンセルされるので、ユーザーが特に操作しないで放置した場合、通常の動作に戻すことができる。
【００１５】
本発明のさらに別の側面では、映像投射部に投射させる画像に台形補正を施す台形補正部をさらに備え、制御部は、映像投射部に所定パターンの表示を行わせている際に、操作キーに含まれるいずれか１つ以上の操作を読取って、台形補正部による台形補正量を調整可能にする。この場合、入力信号に対応する画像の投射前に、台形補正キーの操作によって台形補正量を適正化できる。
【００１６】
本発明のさらに別の側面では、第２検出部は、所定キーとして設定変更のためのメニュー画面を表示させるメニューキーの操作を検出する。
【００１７】
本発明のさらに別の側面では、画像を投射する映像投射部を備えるプロジェクターによる画像投射方法であって、映像投射部の動作を休止させる休止制御がかかった状態で操作キーのうち所定キーの操作が検出された場合において、休止動作の解除が検出されたときに、台形補正の状態を判定可能にする所定パターンの表示を映像投射部に行わせる。
【００１８】
上記画像投射方法によれば、休止制御がかかった状態で所定キーの操作を検出された場合において、休止動作の解除が検出されたときに、台形補正の状態を判定可能にする所定パターンの表示を映像投射部に行わせるので、休止動作を解除することによって入力信号に対応する画像が直ちに投射されることを回避でき、予め上記所定パターンによって台形補正を適正化等して本番の投射の準備が完了してから入力信号に対応する画像を投射することができる。
【図面の簡単な説明】
【００１９】
【図１】実施形態のプロジェクターの外観を示す図である。
【図２】実施形態のプロジェクターの構造を示すブロック図である。
【図３】キー操作部を構成するキー要素を例示する図である。
【図４】実施形態のプロジェクターで行われる処理の流れを説明する図である。
【図５】実施形態のプロジェクターで行われる処理の流れを説明する図である。
【図６】（Ａ）及び（Ｂ）は、映像投射部によってスクリーン上に投射されるテストパターンを例示する図である。
【発明を実施するための形態】
【００２０】
以下、図面を参照して、本発明の一実施形態に係るプロジェクターについて詳細に説明する。
【００２１】
〔Ａ．プロジェクターの外観的な構造〕
図１に示すように、プロジェクター１０は、略全体がケース４１内に収納されている。ケース４１の上面パネル４１ａの一部には、ユーザーが指示を入力するためのキー操作部２８が設けられている。ケース４１の前面パネル４１ｂの一部には、凹所４１ｃが設けられており、この凹所４１ｃには、投射レンズ４２が埋め込むように配置されて投射側部分４２ａを露出させている。また、前面パネル４１ｂには、シャッター４３が開閉可能に組み付けられている。つまり、シャッター４３は、不図示のスライド機構によって前面パネル４１ｂに沿って横方向に摺動可能になっており、投射レンズ４２の投射側部分４２ａを外部に露出させることにより投射光を遮断しない開位置（実線及び点線で図示）と、凹所４１ｃに配置された投射レンズ４２の投射側部分４２ａを覆うことにより投射光を遮断する閉位置（一点鎖線で図示）との間で選択的に移動可能になっている。前面パネル４１ｂには、一対のセンサー４４ａ，４４ｂが埋め込まれており、これらセンサー４４ａ，４４ｂの検出信号に基づいて、シャッター４３が開位置にあって開状態となっているか、シャッター４３が閉位置にあって閉状態となっているかを判断することができる。
【００２２】
〔Ｂ．プロジェクターの内部的な構造〕
図２に示すように、プロジェクター１０は、その本体１０ａとして、制御部１１と、記憶部１２と、キー入力処理部１３と、入力選択部１４と、画像処理部１５と、映像投射部１７と、シャッター検出部１８と、通信部１９と、電源部２２とを備えている。
【００２３】
制御部１１は、プロジェクター１０の機能全体を制御している。つまり、制御部１１は、記憶部１２、キー入力処理部１３、入力選択部１４、画像処理部１５、シャッター検出部１８、通信部１９、電源部２２等と通信可能に接続されており、これらの部分から情報を取り込み、或いはこれらの部分に制御信号等を送って動作状態を制御している。特に、制御部１１は、ミュート指示部１１ａ、テストパターン指示部１１ｂ、タイマー機能部１１ｃ、台形補正管理部１１ｄ等を含む。これらの機能の詳細については、後述する。
【００２４】
記憶部１２は、ＲＯＭ１２ａ、ＲＡＭ１２ｂ、不揮発性メモリー１２ｃ等で構成され、プロジェクター１０を動作させるために必要なプログラム、データ等を保持する。このデータには、例えば画像処理部１５の台形補正部１５ａによって行われる台形補正に関する情報、具体的には、今回起動前の前回動作終了時における台形補正量、シャッター４３の閉動作前の台形補正量等が含まれている。このような台形補正に関する情報は、例えば記憶部１２の不揮発性メモリー１２ｃ等に書き換え可能に保管される。また、記憶部１２は、詳細は後述するが、シャッター４３の開閉動作とキー操作部２８の操作履歴とを適宜関連させてプロジェクター１０の後述するテストパターン表示等の特定動作に反映させるため、キー操作部２８の操作を一時的に記憶する。さらに、記憶部１２は、現時点における入力信号の種類、動作モード等である信号処理状態を保持することができる。ここで、入力信号の種類とは、例えばコンピューターからの画像信号、デジタルプレーヤーからのビデオ信号等のいずれであるかを意味する。その他、記憶部１２は、映像投射部１７に投射させるべき投射画像に対応する画像データも保持することができる。
【００２５】
キー入力処理部１３は、ユーザーの指示を入力するための入力手段であり、一組の操作キーを含むキー操作部２８を有している。キー入力処理部１３には、ＵＩとしてのディスプレイを付随させることもできる。キー入力処理部１３に付随してリモコン受光部２５が設けられており、リモコン２６から無線で遠隔的に指令信号を受け取ることができるようになっている。なお、キー操作部２８には、図３に例示するように、パワーキー２８ａ、入力切替キー２８ｂ、メニューキー２８ｃ、ミュートキー２８ｄ、エスケープキー２８ｅ、４つの方向を示す三角キー２９ａ，２９ｂ，２９ｃ，２９ｄ、確定キー２９ｅ、２つの台形補正キー２９ｆ，２９ｇ、ズームキー２９ｈ等が、一組の操作キーとして適当な配列で設けられている。これらの操作キー２８ａ，２８ｂ，２８ｃ，２８ｄ，２８ｅ，２９ａ，２９ｂ，２９ｃ，２９ｄ，２９ｅ，２９ｆ，２９ｇ，２９ｈは、キー操作部２８だけでなくリモコン２６にも設けることができ、その場合、キー操作部２８に設ける操作キーの数を減らすこともできる。なお、メニューキー２８ｃは、プロジェクター１０の各種設定状態を変更するためのメニュー画面を表示させる際に利用される。また、入力切替キー２８ｂは、入力選択部１４による入力信号の切替を行う際に利用される。２つの台形補正キー２９ｆ，２９ｇのうち、第１の台形補正キー２９ｆは、上側の台形補正に移行させ上側の台形補正を強めるためのものであり、第２の台形補正キー２９ｇは、下側の台形補正に移行させ下側の台形補正を強めるためのものである。なお、これらの台形補正キー２９ｆ，２９ｇについては、短い時間押すと台形補正量を投射によって表示して確認できるようにする台形補正確認ボタンの機能を持たせることができる。
【００２６】
入力選択部１４は、コネクター３１に接続されている。コネクター３１には、コンピューター、ディスクプレーヤーその他の複数の画像出力装置（不図示）が同時に接続可能になっている。入力選択部１４は、制御部１１の制御下で動作しており、コネクター３１に接続された複数の画像出力装置のいずれか１つから入力信号（すなわち画像信号）を受け取って画像処理部１５に出力する。
【００２７】
画像処理部１５は、入力選択部１４又は通信部１９を介して外部から入力された画像信号又は画像データに対して諧調補正、色補正、台形補正、倍率補正等を含む各種補正を行うことができる。これらの諧調補正、色補正、台形補正、倍率補正等の内容は、制御部１１の制御下で変更可能になっており、ユーザーは、キー入力処理部１３を利用することで画像処理部１５による画像処理状態を切り替えることができ、諧調補正、色補正、台形補正、倍率補正等の設定内容を適宜調節することができる。特に、画像処理部１５は、台形補正部１５ａによって入力信号に対応する画像を映像投射部１７の液晶パネルの一部（台形領域）にのみ形成することができ、スクリーン（不図示）に投射される画像の台形歪みを結果的に補正することができる。このような台形補正量は、キー操作部２８の台形補正キー２９ｆ，２９ｇの操作によって調整することができ、スクリーン上に略矩形の画像を投射することが可能になる。また、画像処理部１５は、制御部１１の指令に基づいて、外部からの画像信号等に代えて或いは重畳して、文字情報等を表示する画像信号を、記憶部１２から取り出した画像データから生成することができる。
【００２８】
映像投射部１７は、画像処理部１５から出力された画像処理後の画像信号に基づいてＲＧＢの各色用の液晶パネルを駆動する液晶パネル駆動部１７ａを有する。また、映像投射部１７は、照明装置に設けたランプを所望の状態で点灯させるランプ駆動回路１７ｃを有しており、このランプ駆動回路１７ｃは、制御部１１の制御下で動作する。なお、具体的な説明は省略するが、映像投射部１７は、光学系として、図１に示す投射レンズ４２のほか、照明装置、各色用の液晶パネル、合成プリズム等を備えており、液晶パネルからなる各色用の液晶ライトバルブを透過した光を合成して投射することで、スクリーン（不図示）上にカラー画像を表示する。ここで、図２では図示を省略しているが、図１に示す投射レンズ４２は、各色用の液晶パネルで変調され合成プリズムで合成された画像を所望の倍率で投射する。なお、映像投射部１７の光学系は、液晶方式に限らず、デジタル・マイクロミラー・デバイス方式、ＬＣＯＳ方式、ＧＬＶ方式、ＣＲＴ方式など、種々の方式を用いたものとできる。また、光源としてランプを用いて投射するプロジェクター１０を例示したが、光源としてＬＥＤ光源やレーザー光源などを用いて投射するプロジェクターにも適用することができる。
【００２９】
シャッター検出部１８は、制御部１１の制御下で動作しており、センサー４４ａの検出信号に基づいてシャッター４３が開位置にあって開状態であるか否かを検出することができ、センサー４４ｂの検出信号に基づいてシャッター４３が閉位置にあって閉状態であるか否かを検出することができる。
【００３０】
通信部１９は、通信を可能にするインターフェイス回路である。なお、通信部１９は、例えば無線ＬＡＮのアドホックモードによる通信を可能にする無線型のインターフェイス回路とすることがき、この場合、コンピューターその他のネットワーク接続型装置との間でピアツーピア接続を行うことができる。通信部１９は、有線ＬＡＮ等に接続する有線型のインターフェイス回路とすることもできる。
【００３１】
なお、電源部２２は、制御部１１の制御下で動作し、プロジェクター１０の各部に電力を供給する。
【００３２】
〔Ｃ．プロジェクターの動作〕
以下、図４、５を参照して、図１等に示すプロジェクター１０による投射動作の一例について説明する。
【００３３】
プロジェクター１０の制御部１１は、キー入力処理部１３で検出した指示信号が起動を要求するものである場合、以下に説明する処理をスタートさせる。具体的には、プロジェクター１０の投射動作が停止状態である場合に、ユーザーがキー操作部２８のパワーキー２８ａを押した場合、画像を投射する表示処理をスタートさせる。
【００３４】
まず、制御部１１は、映像投射部１７のランプ駆動回路１７ｃを動作させることにより照明装置のランプを点灯するシーケンスを実行するとともに、画像処理部１５を適宜動作させて画像信号又は駆動信号を出力させることにより映像投射部１７に画像の投射を開始させる（ステップＳ１）。この際、制御部１１は、記憶部１２の不揮発性メモリー１２ｃを参照して、本体１０ａにおける信号処理状態を前回動作終了時の状態に復帰させる。具体的には、入力選択部１４で選択する入力端子、動作モード、台形補正量等をランプの消灯直前すなわち投射動作停止前の状態に設定して、画像処理部１５等を介して映像投射部１７に画像の投射を開始させる。
【００３５】
次に、制御部１１は、キー入力処理部１３に設けたキー操作部２８のパワーキー２８ａの操作をチェックし、ユーザーから投射終了の指示があったか否かを判断する（ステップＳ２）。ユーザーから投射終了の指示がなかった場合（ステップＳ２：Ｎ）、制御部１１は、ユーザーによって休止操作が行われたか否かを判断する（ステップＳ３）。ここで、休止操作とは、後述する画面ミュートの開始条件であり、ユーザーがシャッター４３の閉動作を開始することや、ユーザーがキー操作部２８のミュートキー２８ｄを押すことを意味する。具体的には、例えばシャッター検出部１８が、センサー４４ａ等の出力に基づいてシャッター４３が開位置から閉位置側に変位し始めたことを検出した場合、制御部１１は、休止操作が行われたものと判断する。
【００３６】
制御部１１は、ユーザーによって休止操作が行われていないと判断した場合（ステップＳ３：Ｎ）、ステップＳ２に戻って、ユーザーから投射終了の指示があったか否かを判断する。一方、ユーザーによって休止操作が行われたと判断した場合（ステップＳ３：Ｙ）、制御部１１は、記憶部１２のＲＡＭ１２ｂ又は不揮発性メモリー１２ｃに記憶したパターンフラグをＯＦＦに設定する（ステップＳ１１）。ここで、パターンフラグは、ミュート状態中の第１の特定キーの操作を記録するためのものであり、画面ミュート解除時に映像投射部１７にテストパターンを表示させることを意味する。制御部１１は、パターンフラグがＯＮの場合、その後に休止操作に対応する画面ミュートが解除されても、入力信号に対応する画像を直ちに投射させることなく、画像処理部１５を介して予め準備した台形補正用のテストパターンを映像投射部１７に投射させることになる。
【００３７】
次に、制御部１１は、ミュート指示部１１ａとして、投射画面を休止状態であるミュートに設定する（ステップＳ１２）。具体的には、画像処理部１５に制御信号を出力して入力信号に関わらず黒表示の画像処理を行わせ、映像投射部１７に黒画像を投射させる。このような画面ミュートの状態すなわち休止状態により、入力選択部１４で選択された入力信号に関わらず、画像の投射が暫定的に停止される。なお、画面ミュートの状態とは、上記のような黒画像の投射に限らず、低照度の暗い画像を投射する場合を含むものとし、画像中に入力信号と関係のない静的又は動的なパターンを含む場合もあるものとする。以上の画面ミュートを行う際に、制御部１１は、入力信号の種類、台形補正量等の信号処理状態を、記憶部１２のＲＡＭ１２ｂ、不揮発性メモリー１２ｃ等に一時的に保管する。
【００３８】
次に、制御部１１は、ユーザーによって画面ミュートの解除動作が行われたか否かを判断する（ステップＳ１３）。ここで、画面ミュートの解除動作は、ステップＳ３で検出した休止操作の逆の動作を意味する。すなわち、画面ミュートの解除動作とは、ユーザーがシャッター４３を開位置に移動させることや、ユーザーがキー入力処理部１３に設けたキー操作部２８のうちミュートキー２８ｄを再度押すことを意味する。ここで、シャッター４３の開放を検出するシャッター検出部１８や、ミュートキー２８ｄを含むキー入力処理部１３は、休止動作の解除を検出する第１検出部として機能する。ただし、シャッター４３が開位置にない場合、画像を投射する意味がないので、ミュートキー２８ｄが再度押されても画面ミュートの解除動作ではないものとする。つまり、ミュートキー２８ｄによる画面ミュートの解除は、シャッター４３が開位置にあるときのみとする。
【００３９】
制御部１１は、ユーザーによって画面ミュートの解除動作が行われなかったと判断した場合（ステップＳ１３：Ｎ）、記憶部１２のＲＡＭ１２ｂ又は不揮発性メモリー１２ｃを参照して、ステップＳ１１で説明したパターンフラグがＯＮか否かを判断する（ステップＳ１４）。制御部１１は、パターンフラグがＯＦＦである場合、ユーザーが第２検出部であるキー入力処理部１３に設けたキー操作部２８のうち第１の特定キーすなわち所定キーを操作したか否かを検出する（ステップＳ１５）。ここで、第１の特定キーとは、画面ミュートの解除を行っても、入力信号に対応する画像を投射させないで台形補正用のテストパターンを投射させることを要求するキーであり、キー操作部２８のうち例えばメニューキー２８ｃやエスケープキー２８ｅ等がこれに該当する。
【００４０】
制御部１１は、ユーザーがキー入力処理部１３に設けたキー操作部２８の第１の特定キーを操作したことを検出した場合（ステップＳ１５：Ｙ）、記憶部１２のＲＡＭ１２ｂ又は不揮発性メモリー１２ｃにおいて、パターンフラグをＯＮに書き換えるとともに、タイマー機能部１１ｃにおいてタイマーのカウントをスタートさせる（ステップＳ１６）。なお、制御部１１は、ユーザーがキー操作部２８のうち上記第１の特定キーを操作したことを検出しなかった場合（ステップＳ１５：Ｎ）、ステップＳ１３に戻って、既に説明したステップＳ１３〜Ｓ１５における検出又は判断を行う。
【００４１】
ステップＳ１６におけるタイマーのスタート後、制御部１１は、タイマーの計測が所定時間に達したか否かを判断する（ステップＳ１７）。ここで、所定時間は、記憶部１２の不揮発性メモリー１２ｃに予め保管されており、第１の特定キーの操作後における放置時間が長時間になるか否かの判断基準となっている。具体的な動作例では、所定時間として例えば１０秒が設定されるが、これに限らず適当な時間設定が可能であり、ユーザーが所定時間を変更することもできる。なお、ステップＳ１４でパターンフラグがＯＮであると判断された場合も、既にステップＳ１６でタイマーのスタート等がなされているものとしてステップＳ１５，Ｓ１６を省略してステップＳ１７に進み、タイマーの計測が所定時間に達したか否かが判断される。
【００４２】
タイマーの計測が所定時間に達したと判断された場合（ステップＳ１７：Ｙ）、制御部１１は、記憶部１２のＲＡＭ１２ｂ又は不揮発性メモリー１２ｃにおいて、パターンフラグをＯＦＦに書き換えるとともに、タイマーのカウントをストップさせる（ステップＳ１８）。
【００４３】
一方、タイマーの計測が所定時間に達していないと判断された場合（ステップＳ１７：Ｎ）、制御部１１は、ステップＳ１３に戻って、ステップＳ１３〜Ｓ１６の検出又は判断や処理を行う。つまり、制御部１１は、ユーザーが画面ミュートの解除動作を行ったか否か（ステップＳ１３）や、ユーザーがキー入力処理部１３の第１の特定キーを操作したか否か（ステップＳ１５）等を判断し、画面ミュートが解除されていない状態で第１の特定キーの操作が検出され、その後に所定時間が経過しても画面ミュートが解除されない場合（ステップＳ１７：Ｙ）、パターンフラグがＯＦＦにされる。つまり、ユーザーが特に操作しないで所定時間放置した場合、第１の特定キーの検出に対応して後述するテストパターンによって投射動作を再開するモードが解除され、通常の動作モードに戻すことができる。
【００４４】
ステップＳ１３において、ユーザーが画面ミュートの解除動作を行ったと判断された場合、制御部１１は、画面ミュートの設定を解除する（ステップＳ２１）。具体的には、画像処理部１５に制御信号を出力して黒表示の画像処理を中断させる。
【００４５】
その後、制御部１１は、記憶部１２のＲＡＭ１２ｂ又は不揮発性メモリー１２ｃを参照して、パターンフラグがＯＮか否かを判断する（ステップＳ２２）。制御部１１は、パターンフラグがＯＮである場合、テストパターン指示部１１ｂとして、画像処理部１５を介して映像投射部１７にテストパターンの投射を行わせる（ステップＳ２３）。
【００４６】
図６（Ａ）は、映像投射部１７によって投射されるテストパターンＰＡを例示する図である。スクリーンＳＣ上に投射されたテストパターンＰＡの像は、台形歪みによって上側に広がった台形となっている。図示の例では、スクリーンＳＣに対してプロジェクター１０がかなり下側に配置され、スクリーンＳＣに対して大きな角度で斜め入射させるような投射が行われているため、テストパターンＰＡの投射像が上で広がっている。なお、図示のテストパターンは、単なる例示であり、テストパターンＰＡには、様々な幾何的図形を含めることができる。さらに、テストパターンＰＡには、様々なカラーパターンを含めることもできる。
【００４７】
次に、制御部１１は、記憶部１２を参照して画像データを読出し、画像処理部１５を介して映像投射部１７により、例えばテストパターンＰＡの一部として、図６（Ａ）等に示すように台形補正を受け付ける状態であることを知らせる表示ＫＤを投射させる（ステップＳ２４）。ユーザーは、テストパターンを観察しながらキー入力処理部１３に設けたキー操作部２８の台形補正キー２９ｆ，２９ｇを操作することで、台形補正量を徐々に変化させることができる。制御部１１は、キー操作部２８の監視によって台形補正量の変化を検出した場合、台形補正管理部１１ｄとして、変更後の台形補正量の設定をＲＡＭ１２ｂ等に保管し、ユーザーによる変更後の台形補正量の設定に対応する台形補正処理を画像処理部１５に行わせる（ステップＳ２５）。なお、テストパターンＰＡの表示中は、投射状態を確認できる一種の休止状態であり、ユーザーは、フォーカス等の調整が可能になる。さらに、ユーザーは、入力切替キー２８ｂを操作することによって、入力選択部１４による入力信号の切替を行うこともできる。
【００４８】
図６（Ｂ）は、図６（Ａ）に対応するもので、台形補正後のテストパターンＰＡを示している。この場合、台形歪みが補正されてスクリーンＳＣ上のテストパターンＰＡは矩形の状態となっている。
【００４９】
次に、制御部１１は、ユーザーがキー入力処理部１３に設けたキー操作部２８のうち第２の特定キーを操作したか否かを検出する（ステップＳ２６）。ここで、第２の特定キーとは、台形補正用のテストパターンを投射させないで入力信号に対応する画像を投射させることを要求するキーであり、例えばキー操作部２８の入力切替キー２８ｂやエスケープキー２８ｅ等がこれに該当する。制御部１１は、キー入力処理部１３に設けたキー操作部２８の第２の特定キーが操作されなければ、ステップＳ２５に戻って、ユーザーが台形補正量を変更した場合、変更された台形補正量に対応する台形補正処理を画像処理部１５に行わせる。
【００５０】
一方、制御部１１は、キー入力処理部１３に設けたキー操作部２８のうち第２の特定キーが操作された場合、記憶部１２の不揮発性メモリー１２ｃ等を参照して、ステップＳ３で休止操作が行われたと判断された際又はその後のステップＳ２３〜Ｓ２５での設定変更に際して保管された入力信号の種類、台形補正量等の信号処理状態を読み出して、画像処理部１５を介して映像投射部１７に画像の投射を再開させる（ステップＳ２７）。その後、制御部１１は、ステップＳ２に戻ってユーザーから投射終了の指示があったか否かを判断する。
【００５１】
なお、ステップＳ２でユーザーから投射終了の指示があった場合（ステップＳ２：Ｙ）、制御部１１は、現在の信号処理状態を記憶部１２の不揮発性メモリー１２ｃに保管して画像処理部１５の動作を停止させ、映像投射部１７のランプ駆動回路１７ｃの動作を停止させてランプを消灯する（ステップＳ３１）。
【００５２】
以上の説明から明らかなように、本実施形態のプロジェクター１０によれば、制御部１１が第２検出部であるキー入力処理部１３によって第１の特定キーの操作が検出された後（ステップＳ１５：Ｙ）に、第１検出部であるキー入力処理部１３又はシャッター検出部１８によって休止動作の解除が検出された場合（ステップＳ１３：Ｙ）に、台形補正の状態を判定可能なテストパターンＰＡの表示を映像投射部１７に行わせるので（ステップＳ２２：Ｙ）、休止動作を解除することによって入力信号に対応する画像が直ちに投射されることを回避でき、予め上記テストパターンＰＡによって台形補正を適正化等して準備が完了してから（ステップＳ２５）、入力信号に対応する画像を投射することができる（ステップＳ２７）。
【００５３】
〔その他、変形例等〕
以上実施形態に即して本発明を説明したが、本発明は、上記の実施形態に限られるものではなく、その要旨を逸脱しない範囲において種々の態様において実施することが可能であり、例えば次のような変形も可能である。
【００５４】
上記実施形態では、ユーザーがシャッター４３の閉動作を開始することや、ユーザーがキー操作部２８のミュートキー２８ｄを押すといった休止操作によって、画面ミュートを開始させるとしたが、ユーザーがシャッター４３の閉動作を開始する場合にのみ画面ミュートを開始させることができる。また、ユーザーがキー操作部２８のミュートキー２８ｄを押した場合にのみ画面ミュートを開始させることができる。
【００５５】
上記実施形態では、パターンフラグをＯＮに書き換えることの要否を判断する第１の特定キーとして、第２検出部を構成するキー操作部２８のうち例えばメニューキー２８ｃやエスケープキー２８ｅ等を用いている（ステップＳ１５参照）。しかしながら、パターンフラグをＯＮに書き換えるためのキー操作は、メニューキー２８ｃやエスケープキー２８ｅに限らず、第２検出部を構成する他のキーの操作、具体的には台形補正キー２９ｆ，２９ｇ等の操作とすることができる。なお、台形補正キー２９ｆ，２９ｇが台形補正量を調整するための専用キーであり台形補正確認ボタンをキー操作部２８に別途設けるような場合、このような台形補正確認ボタンの操作を、パターンフラグをＯＮに書き換えるためのキー操作とすることができる。
【００５６】
上記実施形態では、ステップＳ２６においてキー操作部２８のうち入力切替キー２８ｂやエスケープキー２８ｅ等の第２の特定キーが操作された場合に、映像投射部１７に画像の投射を再開させているが、このような第２の特定キーが操作がなくても、ステップＳ２５で台形補正量が変更されないで所定以上の時間が経過した場合、映像投射部１７に画像の投射を再開させることができる。
【００５７】
また、上記実施形態では、画像処理部１５の台形補正部１５ａによって上側の台形補正や下側の台形補正ができるものとしたが、台形補正部１５ａによって左右に関しても台形補正可能にすることができる。
【００５８】
上記実施形態では、タイマーを利用してパターンフラグをリセットしているが（ステップＳ１８）、パターンフラグを一定期間後にリセットしない動作も可能である。
【００５９】
上記実施形態では、画面ミュート時に黒画像や低照度画像を投射するものとしているが、画面ミュート時にランプ駆動回路１７ｃを介して照明装置に設けたランプ自体を暗くすることもできる。
【００６０】
上記実施形態では、記憶部１２に台形補正量を記憶させて、画面ミュートの解除時に画面ミュート開始時における台形補正状態を再現しているが、画面ミュートの解除時に台形補正量をゼロにして台形補正処理を一旦解除することもできる。
【００６１】
第２検出部又は第１検出部の一部や第２検出部として機能するキー操作部２８を本体１０ａに設ける必要はなく、キー操作部２８をリモコン２６にのみ設けることもできる。
【００６２】
以上の説明では、投射レンズ４２の投射側部分４２ａの突起量が大きくないが、例えば投射側部分４２ａが大きく飛び出ているタイプの場合、投射側部分４２ａをシャッター４３で覆うことが容易でなくなるので、投射レンズ４２の後方や内部、つまり投射レンズ４２と合成用のプリズムとの間、若しくは投射レンズ４２内にシャッター４３を設けることもできる。
【符号の説明】
【００６３】
１０…プロジェクター、  １０ａ…本体、  １１…制御部、  １１ａ…ミュート指示部、  １１ｂ…テストパターン指示部、  １１ｃ…タイマー機能部、  １１ｄ…台形補正管理部、  １２…記憶部、  １２ｃ…不揮発性メモリー、  １３…キー入力処理部（第２検出部、又は第１検出部及び第２検出部）、  １４…入力選択部、  １５…画像処理部、  １５ａ…台形補正部、  １７…映像投射部、  １７ａ…液晶パネル駆動部、  １８…シャッター検出部（第１検出部）、  ２５…リモコン受光部、  ２８…キー操作部、  ２８ａ…パワーキー、  ２８ｂ…入力切替キー、  ２８ｃ…メニューキー（所定キー）、  ２８ｄ…ミュートキー、  ２８ｅ…エスケープキー（所定キー）、  ２９ｅ…確定キー、  ２９ｆ，２９ｇ…台形補正キー（所定キー）、  ４１…ケース、  ４１ｂ…前面パネル、  ４１ｃ…凹所、  ４２…投射レンズ、  ４２ａ…投射側部分、  ４３…シャッター、  ４４ａ，４４ｂ…センサー、  ＰＡ…テストパターン、  ＳＣ…スクリーン
【図１】
2011160315.tif 000003
【図２】
2011160315.tif 000004
【図３】
2011160315.tif 000005
【図４】
2011160315.tif 000006
【図５】
2011160315.tif 000007
【図６】
2011160315.tif 000008